(57)【要約】      （修正有）【課題】ヘッドホンスタンドに掛けたままでも、ヘッドホンの音を正面方向に出して聞くことが出来るヘッドホンスタンドを提供する。【解決手段】ヘッドホンをヘッドホンスタンドに掛けた時、台９に固定された支柱８の両側面のヘッドホンのイヤーパッドが接触する位置の中心部に穴１２、１３を開け、更に支柱の前面に穴１０、１１を開け、穴と穴を空洞でつなぎ、音の通路を設ける手段により、ヘッドホンの音を正面に出して、聞くことが出来るようにヘッドホンスタンド装置を形成する。【選択図】図４
0003181199.tif 000002
【実用新案登録請求の範囲】
【請求項１】
台と台の中央に固定された支柱と支柱の上部に固定されたヘッドホン掛けで構成されたオーバーヘッドバンド型ヘッドホーンのヘッドホンを掛けるヘッドホンスタンド装置に於いて、ヘッドホンを掛けたとき、支柱の両側面にイヤーパッドが接触する位置の中心部に穴を開け、更に支柱の前面に穴を開け、穴と穴を空洞でつなぎ、音の通路を設ける手段により、ヘッドホンの音を前面に出すようにしたことを特徴とする、ヘッドホンスタンド装置
【請求項２】
支柱の前面に開ける穴は、左右別々の穴とし、支柱側面の右穴と、支柱前面右穴の穴と穴を空洞でつなぎ、音の通路を設け、支柱側面の左穴と、支柱前面左穴の穴と穴を空洞でつなぎ、音の通路を設けようになし、左右音の通路を分離し、ヘッドホンの左右の音が合成されることなく、ステレオ感を保持することが出来るようにしたことを特徴とする請求項１のヘッドホンスタンド装置
【請求項３】
支柱の下面に穴を開け、支柱の側面の穴と穴をつなぎ、音の通路を設け、更に台の上面に穴を開け、台の前面にも穴を開け、穴と穴を空洞でつなぎ、音の通路を設けるようになし、支柱下面穴と台上面穴の接合部穴位置を合わせ、ヘッドホンの音が、台の前面からも出るようにしたことを特徴とする請求項１のヘッドホンスタンド装置
【請求項４】
支柱の上面に穴を開け、支柱の側面の穴と穴をつなぎ、音の通路を設け、更に支柱の上に箱を設け、箱の下面に穴を開け、箱の前面にも穴を開け、穴と穴を空洞でつなぎ、音の通路を設けるようになし、支柱上面穴と箱下面穴の接合部穴位置をあわせ、ヘッドホンの音が、箱の前面からも出るようにしたことを特徴とする請求項１のヘッドホンスタンド装置
【考案の詳細な説明】
【技術分野】
【０００１】    本考案は、オーバーヘッドバンド型のヘッドホンを掛けて置くための、ヘッドホンスタンド装置に関する。
【背景技術】
【０００２】    従来のオーバーヘッドバンド型のヘッドホンスタンド装置は、ヘッドホンを掛けるだけの機能で、ヘッドホンを掛けたまま、ヘッドホンの音を正面に出すことの出来るものは無い。
【先行技術文献】
【特許文献】
【考案の概要】
【考案が解決しようとする課題】
【０００３】    ヘッドホンをヘッドホンスタンドに掛けたまま、ヘッドホンの音を出すと、従来のヘッドホンスタンドでは、左右のイヤーパッドが支柱両側面に接触し、音が密閉されるため、ヘッドホンユニットからの音は聞こえない。このためヘッドホンスタンドに掛けたままでも、ヘッドホンの音を正面方向に出して聞きたいという課題がある。
【課題を解決するための手段】
【０００４】    この課題を達成する為、本考案装置は、オーバーヘッドバンド型ヘッドホンをヘッドホンスタンドに掛けた時、台に固定された支柱の両側面のヘッドホンのイヤーパッドが接触する位置の中心部に穴をあけ、更に支柱の前面に穴をあけ、穴と穴を空洞でつなぎ、音の通路を設ける手段により、ヘッドホンの音を正面から聞くことが出来るようにしたヘッドホンスタンド装置。
【考案の効果】
【０００５】    上記手段及び構成による本考案によれば、支柱側面の穴から入ったヘッドホンの音は、支柱前面の穴に出て来て、ヘッドホンの音をヘッドホンスタンドの正面にて聞くことが出来る。
【図面の簡単な説明】
【０００６】
【図１】従来の一実施例を示すヘッドホンスタンド装置の正面図
【図２】従来の一実施例を示すヘッドホンスタンド装置の側面図
【図３】従来の一実施例を示すヘッドホンスタンド装置のヘッドホンを掛けた時の正面図
【図４】本考案の一実施例を示すヘッドホンスタンド装置の正面図
【図５】本考案の一実施例を示すヘッドホンスタンド装置の側面図
【図６】本考案の一実施例を示すヘッドホンスタンド装置のヘッドホンを掛けた時の正面図▲１▼
【図７】本考案の一実施例を示すヘッドホンスタンド装置の支柱の右側詳細を示す図
【図８】本考案の一実施例を示すヘッドホンスタンド装置の支柱の左側詳細を示す図
【図９】本考案の一実施例を示すヘッドホンスタンド装置の支柱と台の右側詳細を示す図
【図１０】本考案の一実施例を示すヘッドホンスタンド装置の支柱と台の左側詳細を示す図
【図１１】本考案の一実施例を示すヘッドホンスタンド装置の支柱と箱と台の右側詳細を示す図
【図１２】本考案の一実施例を示すヘッドホンスタンド装置の支柱と箱と台の左側詳細を示す図
【図１３】本考案の一実施例を示すヘッドホンスタンド装置のヘッドホンを掛けた時の正面図▲２▼
【図１４】本考案の一実施例を示すヘッドホンスタンド装置のヘッドホン掛けを示す図▲１▼
【図１５】本考案の一実施例を示すヘッドホンスタンド装置のヘッドホン掛けを示す図▲２▼
【考案を実施するための形態】
【実施例】
【０００７】    以下、本考案を具体化した実施例を図１から図１５を参照にして説明する。図１、図２、図３は、従来のヘッドホンスタンド装置の一実施例である。台▲１▼３の中央部に支柱▲１▼２が固定され支柱▲１▼２の上部にヘッドホン掛け▲１▼１が取り付けられている。ヘッドホン掛け▲１▼１の前後は、先端が鉤状になっており、ヘッドホンがすべり落ちるのを防いでいる。図３はヘッドホンスタンド装置にヘッドホンを掛けたときの正面図である。イヤーパッド６が支柱▲１▼２の側面に接触し、ヘッドホンの音は密閉され、前面に出てこない事がわかる。図４から図１５までは、本考案のヘッドホンスタンド装置の一実施例である。図４は正面図である。台▲２▼９の中央に支柱▲２▼８を固定する。支柱▲２▼８の上部には、ヘッドホン掛け▲２▼７が固定される。台▲２▼９、支柱▲２▼８、ヘッドホン掛け▲２▼７の材質は、木材、金属、プラスチック等限定するものではない。台▲２▼９は、支柱▲２▼８やヘッドホン掛け▲２▼７が取り付けられても容易に倒れない重量、低面積を要するものとする。台▲２▼９と支柱▲２▼８、ヘッドホン掛け▲２▼７の夫々の固定方法は、ねじ、接着、溶着等限定するものではない。また一体製作の方法でも良い。支柱▲２▼８の前面には、支柱前面右穴１０と支柱前面左穴１１が開いている。支柱▲２▼８の側面には支柱側面右穴１２、支柱側面左穴１３が開いている。図５は側面図である。図６はヘッドホンスタンド装置にヘッドホンを掛けた時の正面図▲１▼である。支柱の右側面のヘッドホンのイヤーパッド６が接触する位置の中心部に、支柱側面右穴１２が開けられており、ヘッドホンの音は、支柱前面右穴１０から出る。同様に支柱の左側面のヘッドホンのイヤーパッド６が接触する位置の中心部に、支柱側面左穴１３が開けられており、ヘッドホンの音は、支柱前面左穴１１から出る。支柱側面穴径はイヤーパッド径より小さいものとする。図７は支柱▲２▼８の右側詳細を示す図である。支柱側面右穴１２と支柱前面右穴１０の穴と穴を空洞でつなげることにより、音の通路が出来ている。矢印▲１▼１４は、ヘッドホンの右側の音が支柱側面右穴１２に入る様子を示し、矢印▲３▼１６は、ヘッドホンの右側の音が支柱前面右穴１０から出る様子を示す。同様に図８は支柱▲２▼８の左側詳細を示す図である。支柱側面左穴１３と支柱前面左穴１１の穴と穴を空洞でつなげることにより、音の通路が出来ている。矢印▲２▼１５は、ヘッドホンの左側の音が支柱側面左穴１３に入る様子を示し、矢印▲４▼１７は、ヘッドホンの左側の音が支柱前面左穴１１から出る様子を示す。左右の音の通路は、別々に分離しているため、ステレオ感を保つことが出来る。図９は支柱▲３▼１８と台▲３▼１９の右側詳細を示す図である。ヘッドホンの音を更に大きく前面に出すため、支柱と台に改善を加えたものである。支柱▲３▼１８の前面に支柱前面右穴１０、支柱前面左穴１１、支柱側面右穴１２、支柱側面左穴１３が設けられているのは、前記説明と同様である。支柱▲３▼１８の下面に、支柱と台接合部右穴２０が開けられ、支柱側面右穴１２の穴と穴を空洞でつなげることにより、音の通路が出来ている。台▲３▼１９の上面に、支柱と台接��部右穴２０が開けられ、台▲３▼１９の前面には、台▲３▼前面右穴２２が開けられ、穴と穴を空洞でつなげることにより、音の通路が出来ている。矢印▲１▼１４は、ヘッドホンの右側の音が入る様子を示し、矢印▲３▼１６は、ヘッドホンの右側の音が支柱▲３▼１８の前面右側から出る様子を示し、矢印▲５▼２４は、ヘッドホンの右側の音が台▲３▼１９の前面右側から出る様子を示す。このようにして、ヘッドホンの音を更に大きく前面に出すことが出来る。同様に図１０は支柱▲３▼１８と台▲３▼１９の左側詳細を示す図である。支柱▲３▼１８の前面に支柱前面右穴１０、支柱前面左穴１１、支柱側面右穴１２、支柱側面左穴１３が設けられているのは、前記説明と同様である。支柱▲３▼１８の下面に、支柱と台接合部左穴２１が開けられ、支柱側面左穴１３の穴と穴を空洞でつなげることにより、音の通路が出来ている。台▲３▼１９の上面に、支柱と台接合部左穴２１が開けられ、台▲３▼１９の前面には、台▲３▼前面左穴２３が開けられ、穴と穴を空洞でつなげることにより、音の通路が出来ている。矢印▲２▼１５は、ヘッドホンの左側の音が入る様子を示し、矢印▲４▼１７は、ヘッドホンの左側の音が支柱▲３▼１８の前面左側から出る様子を示し、矢印▲６▼２５は、ヘッドホンの左側の音が台▲３▼１９の前面左側から出る様子を示す。このようにして、ヘッドホンの音を更に大きく前面に出すことが出来る。また左右の音の通路は、別々に分離しているため、ステレオ感を保つことが出来る。図１１は支柱▲４▼２６と箱２９と台▲３▼１９の右側詳細を示す図である。ヘッドホンの音を更に大きく前面に出すため、支柱と箱に改善を加えたものである。支柱▲４▼２６の前面に支柱前面右穴１０、支柱前面左穴１１、支柱側面右穴１２、支柱側面左穴１３が設けられているのは、前記説明と同様である。支柱▲４▼２６の上面に、支柱と箱接合部右穴２７が開けられ、支柱側面右穴１２の穴と穴を空洞でつなげることにより、音の通路が出来ている。箱２９の下面に、支柱と箱接合部右穴２７が開けられ、箱２９の前面には、箱前面右穴３２が開けられ、穴と穴を空洞でつなげることにより、音の通路が出来ている。矢印▲１▼１４は、ヘッドホンの右側の音が入る様子を示し、矢印▲３▼１６は、ヘッドホンの右側の音が支柱▲４▼２６の前面右側からに出る様子を示し、矢印▲５▼２４は、ヘッドホンの右側の音が台▲３▼１９の前面右側から出る様子を示し、矢印▲７▼３０は、ヘッドホンの右側の音が箱２９の前面右側から出る様子を示す。このようにして、ヘッドホンの音を更に大きく前面に出すことが出来る。同様に図１２は支柱▲４▼２６と箱２９と台▲３▼１９の左側詳細を示す図である。支柱▲４▼２６の前面に支柱前面右穴１０、支柱前面左穴１１、支柱側面右穴１２、支柱側面左穴１３が設けられているのは、前記説明と同様である。支柱▲４▼２６の上面に、支柱と箱接合部左穴２８が開けられ、支柱側面左穴１３の穴と穴を空洞でつなげることにより、音の通路が出来ている。箱２９の下面に、支柱と箱接合部左穴２８が開けられ、箱２９の前面には、箱前面左穴３３が開けられ、穴と穴を空洞でつなげることにより、音の通路が出来ている。矢印▲２▼１５��、ヘッドホンの左側の音が入る様子を示し、矢印▲４▼１７は、ヘッドホンの左側の音が支柱▲４▼２６の前面左側からに出る様子を示し、矢印▲６▼２５は、ヘッドホンの左側の音が台▲３▼１９の前面左側から出る様子を示し、矢印▲８▼３１は、ヘッドホンの左側の音が箱２９の前面左側から出る様子を示す。このようにして、ヘッドホンの音を更に大きく前面に出すことが出来る。また左右の音の通路は、別々に分離しているため、ステレオ感を保つことが出来る。図１３はヘッドホンを掛けた時の正面図▲２▼である。図６のヘッドホンを掛けた時の正面図▲１▼と比べ、箱２９が追加され、箱２９の正面穴と台▲３▼１９の正面穴が追加され、ヘッドホンの音量を更に大きく前面に出すことが出来る。箱２９の大きさは、オーバーヘッドバンド型ヘッドホン４を掛けたとき、ヘッドバンド５の内側に納まる大きさとする。図１４はヘッドホン掛けを示す図▲１▼である。ヘッドホン掛け▲２▼７は、半円柱の形状をし、上部の前後が鉤型に上がり中央部が下がっている。中央部の下がった部分にヘッドホンのヘッドバンド５が掛けられ鉤型の効果でヘッドバンド５がはずれるのを防ぐ効果がある。ヘッドホン掛け▲２▼７は支柱▲２▼８の上部に固定される。固定方法は、ねじ、接着、溶着等限定するものではない。ヘッドホン掛け▲２▼７の、正面から見た形状は、半円形以外の形でも良く、丸形、三角形、四角、多角形等限定されるものではない。材質は、木材、金属、プラスチック等限定するものではない。図１５はヘッドホン掛けを示す図▲２▼である。ヘッドホン掛け▲２▼７は箱２９の上部に固定される。ヘッドホン掛け▲２▼７の高さは、箱２９の両端にヘッドバンド５が当らないような高さにする。
【符号の説明】
【０００８】    １  ヘッドホン掛け▲１▼
２  支柱▲１▼
３  台▲１▼
４  オーバーヘッドバンド型ヘッドホン
５  ヘッドバンド
６  イヤーパッド
７  ヘッドホン掛け▲２▼
８  支柱▲２▼
９  台▲２▼
１０  支柱前面右穴
１１  支柱前面左穴
１２  支柱側面右穴
１３  支柱側面左穴
１４  矢印▲１▼
１５  矢印▲２▼
１６  矢印▲３▼
１７  矢印▲４▼
１８  支柱▲３▼
１９  台▲３▼
２０  支柱と台接合部右穴
２１  支柱と台接合部左穴
２２  台▲３▼前面右穴
２３  台▲３▼前面左穴
２４  矢印▲５▼
２５  矢印▲６▼
２６  支柱▲４▼
２７  支柱と箱接合部右穴
２８  支柱と箱接合部左穴
２９  箱
３０  矢印▲７▼
３１  矢印▲８▼
３２  箱前面右穴
３３  箱前面左穴
【図１】
0003181199.tif 000003
【図２】
0003181199.tif 000004
【図３】
0003181199.tif 000005
【図４】
0003181199.tif 000006
【図５】
0003181199.tif 000007
【図６】
0003181199.tif 000008
【図７】
0003181199.tif 000009
【図８】
0003181199.tif 000010
【図９】
0003181199.tif 000011
【図１０】
0003181199.tif 000012
【図１１】
0003181199.tif 000013
【図１２】
0003181199.tif 000014
【図１３】
0003181199.tif 000015
【図１４】
0003181199.tif 000016
【図１５】
0003181199.tif 000017